(57)【特許請求の範囲】
【請求項１】
移動端末と接続される外付けレンズユニットであって、
背板と、
前記背板の一側面に設けられるレンズ部と、
前記背板の他側面に設けられ前記移動端末の被ガイド部と係合するガイド部と、を備え、
前記移動端末は、前記ガイド部との係合によって、摺動可能に前記背板の他側面に取り付けられ、
前記ガイド部は、前記背板の他側面に設けられる一対の摺動溝からなり、
一対の前記摺動溝の一端側から前記移動端末の前記被ガイド部が挿入され、
一対の前記摺動溝の他端側には、前記移動端末の摺動を制限する摺動制限部が設けられ、
前記摺動溝及び前記摺動制限部は、それぞれ第１係合溝及び第２係合溝を構成し、
前記第１係合溝及び前記第２係合溝は、いずれも、前記移動端末を前記背板の他側面に押圧する押圧機構を有する、
外付けレンズユニット。
【請求項２】
移動端末と接続される外付けレンズユニットであって、
背板と、
前記背板の一側面に設けられるレンズ部と、
前記背板の他側面に設けられ前記移動端末の被ガイド部と係合するガイド部と、を備え、
前記移動端末は、前記ガイド部との係合によって、摺動可能に前記背板の他側面に取り付けられ、
前記ガイド部は、前記背板の他側面に設けられる一対の摺動溝からなり、
一対の前記摺動溝の一端側から前記移動端末の前記被ガイド部が挿入され、
一対の前記摺動溝の他端側には、前記移動端末の摺動を制限する摺動制限部が設けられ、
伸縮可能に前記背板の他側面に設けられるロック部をさらに備え、
前記移動端末の摺動が前記摺動制限部によって制限されるとき、前記ロック部の伸出によって、前記移動端末に形成される被ロック部がロックされる、
外付けレンズユニット。
【請求項３】
移動端末と接続される外付けレンズユニットであって、
背板と、
前記背板の一側面に設けられるレンズ部と、
前記背板の他側面に設けられ前記移動端末の被ガイド部と係合するガイド部と、を備え、
前記移動端末は、前記ガイド部との係合によって、摺動可能に前記背板の他側面に取り付けられ、
前記ガイド部は、前記背板の他側面に設けられる一対の摺動溝からなり、
一対の前記摺動溝の一端側から前記移動端末の前記被ガイド部が挿入され、
一対の前記摺動溝の他端側には、前記移動端末の摺動を制限する摺動制限部が設けられ、
前記背板の他側面に設けられる被ロック部をさらに備え、
前記移動端末の摺動が前記摺動制限部によって制限されるとき、前記移動端末に形成されるロック部の伸出によって、前記被ロック部がロックされる、
外付けレンズユニット。
【請求項４】
一対の前記摺動溝の他端側には、第１接続端子が設けられ、
前記移動端末の摺動が前記摺動制限部によって制限されるとき、前記第１接続端子は、前記移動端末に設けられる第２接続端子に接触され、
前記第１接続端子と前記第２接続端子とは、一対の前記摺動溝の延在方向に配列される、
請求項１から３のいずれか１項に記載の外付けレンズユニット。
【請求項５】
前記第１接続端子と前記摺動制限部とは、一対の前記摺動溝の延在方向と直交する方向に配列される、
請求項４に記載の外付けレンズユニット。
【請求項６】
前記第１接続端子は、前記移動端末と対向する前記摺動制限部の一面に設けられる、
請求項４に記載の外付けレンズユニット。
【請求項７】
外付けレンズユニットと、前記外付けレンズユニットと接続される移動端末と、を備える撮像装置であって、
前記外付けレンズユニットは、背板と、前記背板の一側面に設けられるレンズ部と、前記背板の他側面に設けられ前記移動端末の被ガイド部又はガイド部と係合するガイド部又は被ガイド部と、を備え、
前記移動端末は、移動端末本体と、前記移動端末本体の一側面に形成される開口部と、前記開口部内に配置される撮像素子と、前記移動端末本体の他側面に設けられる表示部と、前記外付けレンズユニットの前記ガイド部又は前記被ガイド部と係合する被ガイド部又はガイド部と、を備え、
前記移動端末が前記外付けレンズユニットに取り付けられる前に、前記撮像素子は、前記開口部において露出する、
撮像装置。
【請求項８】
前記移動端末は、前記外付けレンズユニットを前記表示部を介して操作するレンズ操作部をさらに備える、請求項７に記載の撮像装置。
【請求項９】
前記被ガイド部は、前記移動端末本体の一対の縁辺に設けられる一対の耳片からなる、
請求項７または８に記載の撮像装置。
【請求項１０】
外付けレンズユニットと接続される移動端末であって、
移動端末本体と、
前記移動端末本体の一側面に形成される開口部と、
前記開口部内に配置される撮像素子と、
前記移動端末本体に設けられ、前記外付けレンズユニットの被ガイド部又はガイド部と係合するガイド部又は被ガイド部と、を備え、
前記移動端末本体は、前記ガイド部と前記被ガイド部との係合によって、摺動可能に前記外付けレンズユニットに取り付けられ、
前記移動端末が前記外付けレンズユニットに取り付けられる前に、前記撮像素子は、前記開口部において露出する、
移動端末。
【発明の詳細な説明】
【技術分野】
【０００１】
本発明は、外付けレンズユニット、移動端末及び撮像装置に関する。
【背景技術】
【０００２】
現在、例えば、スマートフォン等の移動端末は、通常撮像機能を備えている。時代の発展に伴って、移動端末自身のレンズ部は、ユーザのより高い要求を満たすことができなくなる。そして、移動端末に外付け可能な外付けレンズユニットは、既に登場している。
【発明の概要】
【発明が解決しようとする課題】
【０００３】
しかしながら、従来の外付けレンズユニットについては、挟持の方式によって移動端末に取り付けられるものが多いため、外付けレンズユニットが移動端末から脱落しやすい。これにより、外付けレンズユニットの実用性が低くなる。
【０００４】
そこで、本発明は、このような事情に鑑みてなされたものであり、脱落しにくく、かつ実用性が高い外付けレンズユニット、移動端末及び撮像装置を提供することを目的とする。
【課題を解決するための手段】
【０００５】
本発明のある態様によれば、移動端末と接続される外付けレンズユニットであって、背板と、前記背板の一側面に設けられるレンズと、前記背板の他側面に設けられ前記移動端末の被ガイド部又はガイド部と係合するガイド部又は被ガイド部と、を備え、前記移動端末は、前記ガイド部と前記被ガイド部との係合によって、摺動可能に前記背板の他側面に取り付けられる、外付けレンズユニットが提供される。
【０００６】
本発明の他の態様によれば、外付けレンズユニットと接続される移動端末であって、移動端末本体と、前記移動端末本体の一側面に形成される開口部と、前記開口部内に配置される撮像素子と、前記移動端末本体に設けられ、前記外付けレンズユニットの被ガイド部又はガイド部と係合するガイド部又は被ガイド部と、を備え、前記移動端末本体は、前記ガイド部と前記被ガイド部との係合によって、摺動可能に前記外付けレンズユニットに取り付けられる、移動端末が提供される。
【発明の効果】
【０００７】
本発明の態様によれば、外付けレンズユニットが移動端末から脱落しにくくなり、外付けレンズユニットの実用性を高めることができる。
【図面の簡単な説明】
【０００８】
【図１】本発明の第１実施形態に係る撮像装置を示す分解斜視図である。
【図２】本発明の第１実施形態に係る撮像装置を示す他の分解斜視図である。
【図３】本発明の第１実施形態に係る撮像装置を示す斜視図である。
【図４Ａ】本発明の第１実施形態に係る外付けレンズユニットを示す斜視図である。
【図４Ｂ】本発明の第１実施形態に係る外付けレンズユニットを示す側面図である。
【図５Ａ】摺動溝の斜視図である。
【図５Ｂ】摺動溝の側面図である。
【図６】図４ＢのＶＩ−ＶＩ線に沿う断面図である。
【図７】本発明の第２実施形態に係る撮像装置を示す分解斜視図である。
【図８】本発明の第２実施形態に係る撮像装置を示す他の分解斜視図である。
【図９】本発明の第２実施形態に係る撮像装置を示すその他の分解斜視図である。
【図１０】本発明の第２実施形態に係る撮像装置を示す斜視図である。
【発明を実施するための形態】
【０００９】
(第１実施形態)
以下、図１から図６を参照しながら本発明の第１実施形態に係る撮像装置１について説明する。なお、本明細書において、全文を通して、同一の要素に同一の符号を付する。
【００１０】
図１及び図２は、本発明の第１実施形態に係る撮像装置１を示す分解斜視図である。図３は、本発明の第１実施形態に係る撮像装置１を示す斜視図である。図４Ａ及び図４Ｂは、それぞれ本発明の第１実施形態に係る外付けレンズユニット１００を示す斜視図及び側面図である。図５Ａ及び図５Ｂは、それぞれ摺動溝１３０の斜視図及び側面図である。図６は、図４ＢのＶＩ−ＶＩ線に沿う断面図である。
【００１１】
図１から図６に示すように、本発明の第１実施形態に係る撮像装置１は、外付けレンズユニット１００及び移動端末としてのスマートフォン２００を備える。本実施形態では、移動端末は、通信可能なスマートフォン２００から構成されているが、これに限定されるものではなく、例えば、タブレット端末、撮像機能を有する通常の携帯電話又は他の通信機器から構成されてもよい。
【００１２】
外付けレンズユニット１００は、スマートフォン２００と接続される。外付けレンズユニット１００は、背板１１０、レンズ部１２０、ガイド部としての一対の摺動溝１３０、摺動制限部１４０、第１接続端子１５０、第１水平当接面１６０、ロック部としてのロックピン１７０及びロック操作部１８０を備える。
【００１３】
一方、スマートフォン２００は、外付けレンズユニット１００と接続される。スマートフォン２００は、移動端末本体としてのスマートフォン本体２１０、開口部２２０、撮像素子２３０、被ガイド部としての耳片２４０、単一の耳片２５０、第２接続端子２６０、第２水平当接面２６５、被ロック部としてのロック孔２７０、表示部２８０及びレンズ操作部としてのタッチパネル２９０を備える。
【００１４】
まず、外付けレンズユニット１００の構成について詳細に説明する。
【００１５】
背板１１０は、矩形状の板状部材に形成され、回路板としての基板（図示しない）及びケーブルを通じて当該基板に接続される各種の電子素子（図示しない）が内蔵される。背板１１０の略中央位置には、厚さ方向に沿って背板１１０を貫通する円形の貫通部１１１が形成される。貫通部１１１は、レンズ部１２０からの光線をスムーズに背板１１０に通過させてスマートフォン２００の撮像素子２３０までに到達させることを確保することができる。
【００１６】
レンズ部１２０は、被写体からの光を収集するためのものである。レンズ部１２０は、背板１１０の一側面としての正面に設けられる。本実施形態では、レンズ部１２０は、ズームレンズ部から構成されているが、これに限定されるものではなく、例えば、単焦点レンズ部から構成されてもよい。また、レンズ部１２０は、マニュアルフォーカスであってもよく、オートフォーカスであってもよい。
【００１７】
レンズ部１２０は、伸縮可能な鏡筒と、鏡筒に内蔵される複数のレンズ群（図示しない）と、を有する。そして、複数のレンズ群間の間隔を変更することによって、レンズ部１２０のズーミングを実現することができる。また、少なくとも一つのレンズ群を光軸方向に沿って移動させることによってレンズ部１２０のフォーカシングを実現することができる。さらに、複数のレンズ群は、手振れによる像振れを補正する防振レンズ群を含んでもよい。
【００１８】
レンズ部１２０と背板１１０との接続精度を保証するために、レンズ部１２０と背板１１０とは、着脱不能に接続される。具体的には、本実施形態では、レンズ部１２０と背板１１０とは、一体構造に形成される。
【００１９】
一対の摺動溝１３０は、スマートフォン２００の一対の耳片２４０と係合するように背板１１０の他側面としての背面に設けられる。スマートフォン２００は、一対の摺動溝１３０と一対の耳片２４０との係合によって、摺動可能に背板１１０の背面に取り付けられる。これにより、外付けレンズユニットが挟持の方式によってスマートフォンに取り付けられるものに比べ、外付けレンズユニット１００がスマートフォン２００から脱落しにくくなり、外付けレンズユニット１００の実用性を高めることができる。
【００２０】
一対の摺動溝１３０は、背板１１０の長手方向に沿って延在するように背板１１０の背面の一対の縁辺、具体的には、背板１１０の背面の一対の長縁辺に設けられる。これにより、スマートフォン２００を一対の摺動溝１３０の間に収容することができる。
【００２１】
本実施形態では、一対の摺動溝１３０は、一対の長縁辺の全域に亘ることなく、一対の長縁辺の一部のみに設けられる。具体的には、一対の摺動溝１３０は、貫通部１１１の一端側（図１の下側）に設けられる。
【００２２】
一対の摺動溝１３０の一端側（図１の下側）からスマートフォン２００の耳片２４０が挿入される。これにより、スマートフォン２００は、一対の摺動溝１３０と一対の耳片２４０との係合によって、下側から上側に向かって背板１１０の背面に収容される。
【００２３】
図５Ａ及び図５Ｂに示すように、摺動溝１３０は、直立板１３１及び対向板１３２を有する。直立板１３１は、背板１１０と直交するように背板１１０の背面に固定される。対向板１３２は、背板１１０と平行に対向するように直立板１３１の先端に形成される。
【００２４】
スマートフォン２００を安定的に背板１１０の背面に収容するために、背板１１０と対向する対向板１３２の一側（内側）には、押圧機構１３３が設けられる。押圧機構１３３は、スマートフォン２００の一対の耳片２４０を背板１１０の背面に押圧している。これにより、外付けレンズユニット１００とスマートフォン２００との間のガタツキによってレンズ部１２０とスマートフォン２００との間のフランジバックが変化することを回避することができる。
【００２５】
押圧機構１３３は、板ばね１３４から構成される。板ばね１３４は、耳片２４０を押圧するためのものである。板ばね１３４は、対向板１３２と対向する一側面１３４ａと、背板１１０の背面と対向する押圧面としての他側面１３４ｂと、を有する。
【００２６】
摺動制限部１４０から離間する板ばね１３４の一端、すなわち、スマートフォン２００の挿入側に向かう板ばね１３４の一端は、対向板１３２に接続される。摺動制限部１４０に接近する板ばね１３４の他端は、自由端となり、自然状態において対向板１３２と離間する。板ばね１３４は、板ばね１３４の一側面１３４ａと対向板１３２との間隔が一端から他端に向かって漸次大きくなるように設けられる。
【００２７】
スマートフォン２００の耳片２４０が摺動して摺動溝１３０に挿入されるとき、板ばね１３４の他側面１３４ｂが耳片２４０によって押圧されることで、板ばね１３４は、その他側面が対向板１３２に接近するように撓む。これにより、板ばね１３４（すなわち、押圧機構１３３）は、耳片２４０を背板１１０の背面に押圧している。
【００２８】
摺動制限部１４０は、スマートフォン２００の摺動を制限するための制限部である。摺動制限部１４０は、背板１１０の幅方向に沿って延在するように一対の摺動溝１３０の他端側（図１の上側）、具体的には、背板１１０の背面の一側短縁辺（図１の上縁辺）に設けられる。また、摺動制限部１４０は、スマートフォン２００の単一の耳片２５０と係合する。摺動制限部１４０と単一の耳片２５０との係合によって、スマートフォン２００が背板１１０に対し上側に向かって摺動することを制限することができる。
【００２９】
一対の摺動溝１３０、単一の摺動制限部１４０及び背板１１０の背面によって、スマートフォン２００を収容するための収容空間Ｓが形成される。一対の摺動溝１３０及び単一の摺動制限部１４０は、それぞれ背板１１０の背面の一対の長縁辺及び背板１１０の背面の一側短縁辺に設けられるため、背板１１０の背面の殆どは、収容空間Ｓとして摺動されるスマートフォン２００を収容することができる。
【００３０】
図６に示すように、摺動溝１３０と同様に、摺動制限部１４０は、直立板１４１及び対向板１４２を有する。直立板１４１は、背板１１０と直交するように背板１１０の背面に固定される。対向板１４２は、背板１１０と平行に対向するように直立板１４１の先端に形成される。
【００３１】
スマートフォン２００を安定的に背板１１０の背面に収容するために、背板１１０と対向する対向板１４２の一側（内側）には、押圧機構１４３が設けられる。押圧機構１４３は、スマートフォン２００の単一の耳片２５０を背板１１０の背面に押圧している。これにより、外付けレンズユニット１００とスマートフォン２００との間のガタツキによってレンズ部１２０とスマートフォン２００との間のフランジバックが変化することを回避することができる。
【００３２】
押圧機構１３３と相違し、押圧機構１４３は、押圧片１４４及びコイルばね１４５を有する。押圧片１４４は、耳片２５０を押圧するためのものである。押圧片１４４は、対向板１４２と対向する一端面１４４ａと、背板１１０の背面と対向する押圧面としての他端面１４４ｂと、背板１１０の背面と対向する傾斜面１４４ｃと、を有する。傾斜面１４４ｃは、他端側（図１の下側）、すなわち、スマートフォン２００の挿入側に向かう。
【００３３】
コイルばね１４５は、押圧片１４４と対向板１４２とを接続するためのものである。コイルばね１４５は、一端が対向板１４２に形成されるばね収容孔１４２ａの底面に固定され、他端が押圧片１４４の一端面１４４ａに固定されるように形成される。これにより、押圧片１４４は、コイルばね１４５によって対向板１４２に支持される。
【００３４】
コイルばね１４５が自然状態にあるとき、すなわち、コイルばね１４５が圧縮されていないとき、押圧片１４４は、対向板１４２から離間する。まず、スマートフォン２００の耳片２５０が摺動して摺動制限部１４０に挿入されると、押圧片１４４の傾斜面１４４ｃが耳片２５０によって押圧されることで、コイルばね１４５が圧縮される。押圧片１４４は、コイルばね１４５の圧縮に伴って、対向板１４２側に移動する。すなわち、押圧片１４４は、対向板１４２に接近するように移動する。その後、耳片２５０が押圧片１４４の他端面１４４ｂと当接すると、押圧片１４４の他端面１４４ｂは、圧縮後のコイルばね１４５によって、耳片２５０を押圧することで、押圧機構１４３は、耳片２５０を背板１１０の背面を押圧している。最後に、耳片２５０の先端が直立板１４１と当接することによって、スマートフォン２００の摺動は、摺動制限部１４０によって制限される。
【００３５】
一対の摺動溝１３０及び単一の摺動制限部１４０は、それぞれ一対の第１係合溝及び単一の第２係合溝を構成する。一対の耳片２４０及び単一の耳片２５０をそれぞれ一対の第１係合溝１３０及び単一の第２係合溝１４０によって係合することで、外付けレンズユニット１００とスマートフォン２００との位置決め（三軸方向の位置決め）を実現することができる。
【００３６】
第１接続端子１５０は、スマートフォン２００と外付けレンズユニット１００のレンズ部１２０とを電気的に接続するための端子である。第１接続端子１５０は、一対の摺動溝１３０の他端側（図１の上側）、具体的には、背板１１０の背面の一側短縁辺（図１の上縁辺）に設けられる。
【００３７】
スマートフォン２００の摺動が摺動制限部１４０によって制限されるとき、第１接続端子１５０がスマートフォン２００の第２接続端子２６０と接触（接続）することで、スマートフォン２００と外付けレンズユニット１００とが電気的に接続される。これにより、スマートフォン２００から外付けレンズユニット１００への電力供給を実現することができるので、外付けレンズユニット１００に電源を内蔵する必要がない。同時に、スマートフォン２００と外付けレンズユニット１００との間のデータ交換を実現することができるので、レンズ部１２０をスマートフォン２００によって調整及び制御することができる。
【００３８】
また、スマートフォン２００の摺動が摺動制限部１４０によって制限されるとき、第１接続端子１５０と第２接続端子２６０とは、一対の摺動溝１３０の延在方向、すなわち、スマートフォン２００の挿抜方向（長手方向）に配列される。これにより、スマートフォン２００の一対の耳片２４０を一対の摺動溝１３０に挿入するだけで、スマートフォン２００を摺動溝１３０の延在方向に沿って摺動させることによって、スマートフォン２００の第２接続端子２６０を外付けレンズユニット１００の第１接続端子１５０に接触させることができる。したがって、第１接続端子と第２接続端子との位置合わせ工程を行うことなく、外付けレンズユニット１００へのスマートフォン２００の取り付けの操作をより簡易化にすることができる。
【００３９】
本実施形態では、背板１１０の背面の一側短縁辺（図１の上縁辺）には、第１接続端子１５０が形成されるバンプが設けられる。すなわち、第１接続端子１５０と摺動制限部１４０とは、一対の摺動溝１３０の延在方向と直交する方向（幅方向）に配列される。これにより、スマートフォン２００の摺動が摺動制限部１４０によって制限されるとき、外付けレンズユニット１００の第１接続端子１５０とスマートフォン２００の第２接続端子２６０との接触を確保することができる。
【００４０】
第１接続端子１５０は、上述したようなものに限らず、摺動制限部１４０に設けられてもよい。この場合、第１接続端子１５０は、摺動制限部１４０のスマートフォン２００に対向する対向板１４２の一面に位置する。スマートフォン２００の摺動が摺動制限部１４０によって制限されるとき、第１接続端子１５０がスマートフォン２００の第２接続端子２６０と接触（接続）している。これにより、バンプを設けることなく、第１接続端子１５０を設置することができので、外付けレンズユニット１００の構造を簡易化にすることができる。
【００４１】
第１水平当接面１６０は、スマートフォン２００の第２水平当接面２６５と接触するための当接面である。第１水平当接面１６０は、背板１１０の背面に設けられ、その高さが背板１１０の背面における他の平坦な領域よりも僅かに高くなっている。本実施形態では、第１水平当接面１６０の平面度は、０．０１ｍｍ以下であることが好ましい。また、第１水平当接面１６０は、貫通部１１１の外周に位置する。すなわち、第１水平当接面１６０は、貫通部１１１を取り囲むように設けられる。
【００４２】
また、第１水平当接面１６０は、外付けレンズユニット１００のレンズ部１２０の光軸と直交するように設けられる。これにより、スマートフォン２００が摺動制限部１４０によって制限されるとき、第１水平当接面１６０がスマートフォン２００の第２水平当接面２６５と当接することによって、スマートフォン２００の撮像素子２３０が外付けレンズユニット１００のレンズ部１２０の光軸と直交することを実現することができる。したがって、撮像装置１の撮像品質を高めることができる。
【００４３】
ロックピン１７０は、スマートフォン２００のロック孔２７０をロックするためのものである。ロックピン１７０は、第１水平当接面１６０に位置するように伸縮可能に背板１１０の背面に設けられる。ロックピン１７０をスマートフォン２００のロック孔２７０に挿入させることによって、外付けレンズユニット１００に対しスマートフォン２００をロックすることができる。したがって、外付けレンズユニット１００とスマートフォン２００との間の位置決めを確保することができる。
【００４４】
また、上述のように外付けレンズユニット１００に対しスマートフォン２００をロックすることができるので、第１接続端子１５０と第２接続端子２６０との接触が簡単に解除されることを防止することができる。このため、スマートフォン２００から外付けレンズユニット１００への電力供給を確保することができ、撮像装置１の正常な動作を保証することができる。
【００４５】
ロック操作部１８０は、ロックピン１７０の伸縮を操作するための操作部である。ロック操作部１８０は、背板１１０に設けられる。本実施形態では、ロック操作部１８０は、背板１１０の一縁辺に設けられる。
【００４６】
ロック操作部１８０は、ロックピン１７０の伸縮を、例えば、リンク機構、ギア伝達機構及び電磁制御機構等の複数の方式によって制御することができる。本実施形態では、リンク機構（図示しない）が用いられ、ロック操作部１８０は、長手方向に沿って摺動可能なスライダに設けられる。そして、ロック操作部１８０を摺動させることによって、ロックピン１７０の伸縮を切り替えることができる。これにより、スマートフォン２００が外付けレンズユニット１００から離間した場合、すなわち、スマートフォン２００から外付けレンズユニット１００への電力供給が行われていない場合であっても、ロックピン１７０の伸縮をロック操作部１８０の摺動によって切り替えることができる。
【００４７】
スマートフォン２００の摺動が摺動制限部１４０によって制限されていないとき、ロック操作部１８０が第１位置に位置するので、ロックピン１７０が収縮状態にある。このため、外付けレンズユニット１００の背板１１０にスマートフォン２００が取り付けられていない場合、収縮状態にあるロックピン１７０が折れることがない。くわえて、スマートフォン２００を一対の摺動溝１３０の延在方向において摺動制限部１４０に向かって摺動させることができる。
【００４８】
一方、スマートフォン２００の摺動が摺動制限部１４０によって制限されるとき、ロック操作部１８０を第１位置から第２位置に切り替えることによって、ロックピン１７０が伸出してスマートフォン２００のロック孔２７０に挿入される。これにより、ロックピン１７０は、ロック孔２７０をロックすることになっている。
【００４９】
スマートフォン２００を外付けレンズユニット１００から取り外すとき、第２位置に位置するロック操作部１８０を第１位置に切り替える必要がある。これにより、ロックピン１７０は、伸出状態から収縮状態に変わり、ロックピン１７０とロック孔２７０とのロックが解除される。このため、スマートフォン２００を一対の摺動溝１３０の延在方向に沿って摺動させて、外付けレンズユニット１００から抜き出すことができる。
【００５０】
次に、スマートフォン２００の構成について詳細に説明する。
【００５１】
スマートフォン２００のスマートフォン本体２１０は、矩形の板状部材であり、回路板としての基板（図示しない）及びケーブルを通じて当該基板に接続される各種の電子素子（図示しない）が内蔵される。スマートフォン本体２１０の長手方向の寸法及び幅方向の寸法は、それぞれ外付けレンズユニット１００の背板１１０の長手方向の寸法及び幅方向の寸法よりも僅かに小さい。これにより、スマートフォン２００を外付けレンズユニット１００の背板１１０の背面における収容空間Ｓに収容させることができる。また、スマートフォン本体２１０の背面は、外付けレンズユニット１００の背板１１０の背面に対向する。
【００５２】
開口部２２０は、円形であり、スマートフォン本体２１０の一側面としての背面の略中央位置に形成される。開口部２２０は、レンズ部１２０からの光線をスムーズに撮像素子２３０までに到達することを確保することができる。
【００５３】
撮像素子２３０は、レンズ部１２０からの光線を光電変換して撮像を実現するための素子である。撮像素子２３０は、例えば、ＣＣＤ又はＣＭＯＳから構成され、開口部２２０内、具体的には、開口部２２０から露出する基板に設置される。
【００５４】
一対の耳片２４０は、一対の摺動溝１３０と係合するためのものである。一対の耳片２４０は、スマートフォン本体２１０の一対の縁辺、具体的には、スマートフォン本体２１０の一対の長縁辺に突出して設けられる。これにより、スマートフォン本体２１０の一対の長縁辺と一対の摺動溝１３０との直接接触を回避することができるので、スマートフォン２００の摺動時においてスマートフォン本体２１０の一対の長縁辺に設けられた操作ボタン（図示しない）と摺動溝１３０との接触によって誤操作が発生することを防止することができる。
【００５５】
単一の耳片２５０は、摺動制限部１４０と係合するためのものである。耳片２５０は、スマートフォン本体２１０の一側縁辺、具体的には、スマートフォン本体２１０の一側短縁辺（図１の上側縁辺）に突出して設けられる。
【００５６】
本実施形態では、一対の耳片２４０及び単一の耳片２５０は、それぞれスマートフォン本体２１０の一対の長縁辺及びスマートフォン本体２１０の一側短縁辺に固定されているが、これに限定されるものではなく、着脱可能にそれぞれスマートフォン本体２１０の一対の長縁辺及びスマートフォン本体２１０の一側短縁辺に設けられてもよい。この場合、スマートフォン２００が外付けレンズユニット１００の背板１１０に取り付けられていないとき、一対の耳片２４０及び単一の耳片２４０及び単一の耳片２５０をスマートフォン本体２１０から取り外すことができるので、スマートフォン２００の美観性を確保することができる。
【００５７】
第２接続端子２６０は、外付けレンズユニット１００第１接続端子と接触するための端子である。第２接続端子２６０は、スマートフォン本体２１０の一側縁辺、具体的には、スマートフォン本体２１０の一側短縁辺（図１の上側縁辺）に設けられる。すなわち、耳片２５０と第２接続端子２６０とは、スマートフォン本体２１０の幅方向に配列される。また、第２接続端子２６０は、他の電子機器の接続端子と接続するための端子であってもよい。これにより、スマートフォン２００の接続端子の数を減らすことができるので、スマートフォン２００の構造を簡易化にすることができる。
【００５８】
第２水平当接面２６５は、外付けレンズユニット１００の第１水平当接面１６０と当接するための当接面である。第２水平当接面２６５は、スマートフォン本体２１０の背面に設けられ、その高さがスマートフォン本体２１０の背面のその他の平坦な領域よりも僅かに高くなっている。本実施形態では、第２水平当接面２６５の平面度は、０．０１ｍｍ以下であることが好ましい。また、第２水平当接面２６５は、開口部２２０の外周に位置する。すなわち、第２水平当接面２６５は、開口部２２０を取り囲むように設けられる。
【００５９】
また、第２水平当接面２６５は、撮像素子２３０と平行に設けられる。これにより、スマートフォン２００の摺動が摺動制限部１４０によって制限されるとき、第１水平当接面１６０がスマートフォン２００の第２水平当接面２６５と面当接することによって、スマートフォン２００の撮像素子２３０が外付けレンズユニット１００のレンズ部１２０の光軸と直交することを実現することができる。したがって、撮像装置１の撮像品質を高めることができる。
【００６０】
ロック孔２７０は、外付けレンズユニット１００のロックピン１７０が挿入されるための孔である。ロック孔２７０は、第２水平当接面２６５に位置するようにスマートフォン本体２１０の背面に設けられる。
【００６１】
表示部２８０は、被写体の画像を表示するためのものである。表示部２８０は、スマートフォン本体２１０の他側面としての正面に設けられる。
【００６２】
タッチパネル２９０は、外付けレンズユニット１００を操作するためのものである。タッチパネル２９０は、表示部２８０を覆うように表示部２８０に設けられる。タッチパネル２９０をタッチすることによって、表示部２８０を通じて外付けレンズユニット１００を操作することができる。これにより、外付けレンズユニット１００の操作性を大幅に向上させることができる。
【００６３】
また、スマートフォン２００は、開口部２２０を覆う蓋部（図示しない）を有してもよい。スマートフォン２００が外付けレンズユニット１００に取り付けられていないとき、当該蓋部をねじ締め等の方式によって開口部２２０に取り付けることができるので、粉塵等の異物が開口部２２０を介してスマートフォン２００のスマートフォン本体２１０の内部に侵入することを回避することができる。また、蓋体は、レンズユニットから構成されてもよい。この場合、被写体を当該レンズユニット及び撮像素子２３０によって撮像することができる。
【００６４】
本実施形態では、レンズ操作部は、タッチパネル２９０から構成されているが、これに限定されるものではなく、例えば、操作ボタン等から構成されてもよい。
【００６５】
上述した実施形態によれば、以下のような効果が得られる。
【００６６】
本発明の第１実施形態に係る外付けレンズユニット１００は、スマートフォン２００と接続されるものであって、背板１１０と、背板１１０の正面に設けられるレンズ部１２０と、背板１１０の背面に設けられ、スマートフォン２００の一対の耳片２４０と係合する一対の摺動溝１３０と、を備える。スマートフォン２００は、一対の摺動溝１３０と一対の耳片２４０との係合によって、摺動可能に背板１１０の背面に取り付けられる。
【００６７】
本発明の第１実施形態に係るスマートフォン２００は、外付けレンズユニット１００と接続されるものであって、スマートフォン本体２１０と、スマートフォン本体２１０の背面に形成される開口部２２０と、開口部２２０内に配置される撮像素子２３０と、外付けレンズユニット１００の一対の摺動溝１３０と係合するようにスマートフォン本体２１０に設けられる一対の耳片２４０と、を備え、スマートフォン本体２１０は、一対の摺動溝１３０と一対の耳片２４０との係合によって、摺動可能に外付けレンズユニット１００に取り付けられる。
【００６８】
本発明の第１実施形態に係る撮像装置１は、上述した外付けレンズユニット１００及び上述したスマートフォン２００を備える。
【００６９】
これらの構成によれば、外付けレンズユニット１００の一対の摺動溝１３０とスマートフォン２００の一対の耳片２４０とが係合するので、外付けレンズユニットが挟持の方式によってスマートフォンに取り付けられるものに比べ、外付けレンズユニット１００がスマートフォン２００から脱落しにくくなり、外付けレンズユニット１００の実用性を高めることができる。
【００７０】
また、本発明の第１実施形態では、一対の摺動溝１３０の一端側からスマートフォン２００の一対の耳片２４０が挿入され、一対の摺動溝１３０の他端側には、スマートフォン２００の摺動を制限する摺動制限部１４０が設けられる。
【００７１】
この構成によれば、摺動制限部１４０とスマートフォン２００の耳片２５０とが係合するので、スマートフォン２００に対し外付けレンズユニット１００の背板１１０が上側に摺動することを制限することができる。
【００７２】
また、本発明の第１実施形態では、一対の摺動溝１３０の他端側には、第１接続端子１５０が設けられ、スマートフォン２００の摺動が摺動制限部１４０によって制限されるとき、第１接続端子１５０は、スマートフォン２００に設けられる第２接続端子２６０に接触され、第１接続端子１５０と第２接続端子２６０とは、一対の摺動溝１３０の延在方向に配列される。
【００７３】
この構成によれば、スマートフォン２００と外付けレンズユニット１００とを電気的に接続することができるので、スマートフォン２００から外付けレンズユニット１００への電力供給を実現することができ、外付けレンズユニット１００に電源を内蔵する必要がない。同時に、スマートフォン２００と外付けレンズユニット１００とのデータ交換を実現することができるので、レンズ部１２０をスマートフォン２００によって調整及び制御することができる。
【００７４】
また、第１接続端子１５０と第２接続端子２６０とは、一対の摺動溝１３０の延在方向、すなわち、スマートフォン２００の挿抜方向（長手方向）に配列されるので、スマートフォン２００の一対の耳片２４０を一対の摺動溝１３０に挿入するだけで、スマートフォン２００を摺動溝１３０の延在方向に沿って摺動させることによって、スマートフォン２００の第２接続端子２６０を外付けレンズユニット１００の第１接続端子１５０に接触させることができる。したがって、第１接続端子と第２接続端子との位置合わせ工程を行うことなく、外付けレンズユニット１００へのスマートフォン２００の取り付けの操作をより簡易化にすることができる。
【００７５】
また、本発明の第１実施形態では、第１接続端子１５０と摺動制限部１４０とは、一対の摺動溝１３０の延在方向と直交する方向に配列される。
【００７６】
この構成によれば、スマートフォン２００の摺動が摺動制限部１４０によって制限されるとき、外付けレンズユニット１００の第１接続端子１５０とスマートフォン２００の第２接続端子２６０との接触を確保することができる。
【００７７】
また、本発明の第１実施形態では、一対の摺動溝１３０及び単一の摺動制限部１４０は、それぞれ一対の第１係合溝及び単一の第２係合溝を構成し、第１係合溝１３０及び第２係合溝１４０は、いずれもスマートフォン２００を背板１１０の背面に押圧させる押圧機構１３３，１４３を有する。
【００７８】
この構成によれば、一対の第１係合溝１３０及び単一の第２係合溝１４０をそれぞれ一対の耳片２４０及び単一の耳片２５０に係合することによって、外付けレンズユニット１００とスマートフォン２００との位置決め（三軸方向の位置決め）を実現することができる。また、スマートフォン２００を押圧機構１３３，１４３によって背板１１０の背面に押圧させることによって、外付けレンズユニット１００とスマートフォン２００との間のガタツキによってレンズ部１２０とスマートフォン２００との間のフランジバックが変化することを回避することができる。
【００７９】
また、本発明の第１実施形態では、外付けレンズユニット１００は、伸縮可能に背板１１０の背面に設けられるロックピン１７０をさらに備え、スマートフォン２００の摺動が摺動制限部１４０によって制限されるとき、ロックピン１７０の伸出によって、スマートフォン２００に形成されるロック孔２７０がロックされる。
【００８０】
この構成によれば、ロックピン１７０をスマートフォン２００のロック孔２７０に挿入させることによって、外付けレンズユニット１００に対しスマートフォン２００をロックすることができる。したがって、外付けレンズユニット１００とスマートフォン２００との間の位置決めを確保することができる。また、上述のように外付けレンズユニット１００に対しスマートフォン２００をロックすることができるので、第１接続端子１５０と第２接続端子２６０との接触が簡単に解除されることを防止することができる。このため、スマートフォン２００から外付けレンズユニット１００への電力供給を確保することができ、撮像装置１の正常な動作を保証することができる。
【００８１】
また、本発明の第１実施形態に係る撮像装置１は、上述した外付けレンズユニット１００及びスマートフォン２００を備え、スマートフォン２００は、スマートフォン本体２１０と、スマートフォン本体２１０の背面に形成される開口部２２０と、開口部２２０内に配置される撮像素子２３０と、スマートフォン本体２１０の正面に設けられる表示部２８０と、外付けレンズユニット１００を表示部２８０を通じて操作するタッチパネル２９０と、を有する。
【００８２】
この構成によれば、外付けレンズユニット１００を表示部２８０を通じて操作することによって、外付けレンズユニット１００の操作性を大幅に向上させることができる。
【００８３】
また、本発明の第１実施形態では、外付けレンズユニット１００の一対の摺動溝１３０と係合する一対の耳片２４０は、スマートフォン２００の一対の縁辺に設けられる。
【００８４】
この構成によれば、外付けレンズユニット１００の一対の摺動溝１３０がスマートフォン２００の一対の耳片２４０と係合するので、スマートフォン本体２１０の一対の長縁辺と一対の摺動溝１３０との直接接触を回避することができる。したがって、スマートフォン２００の摺動時においてスマートフォン本体２１０の一対の長縁辺に設けられた操作ボタン（図示しない）と摺動溝１３０との接触によって誤操作が発生することを防止することができる。
【００８５】
次に、本発明の第１実施形態に係る撮像装置１の変形例について説明する。
【００８６】
上述した第１実施形態では、一対の摺動溝１３０及び一対の耳片２４０は、それぞれ外付けレンズユニット１００の背板１１０及びスマートフォン２００のスマートフォン本体２１０に設けられているが、これに限定されるものではなく、それぞれスマートフォン２００のスマートフォン本体２１０及び外付けレンズユニット１００の背板１１０に設けられてもよい。すなわち、一対の摺動溝１３０及び一対の耳片２４０の設置位置を交換することになっている。この場合、外付けレンズユニット１００の背板１１０は、スマートフォン２００のスマートフォン本体２１０の背面に収容される。
【００８７】
また、上述した第１実施形態では、押圧機構１３３及び押圧機構１４３は、それぞれ板ばね１３４及び押圧片１４４、コイルばね１４５から構成されているが、これに限定されるものではなく、例えば、両者がいずれも板ばね１３４から構成されてもよい。又は両者が押圧片１４４、コイルばね１４５から構成されてもよいし、又は押圧機構１３３及び押圧機構１４３は、それぞれ押圧片１４４、コイルばね１４５及び板ばね１３４から構成されてもよい。
【００８８】
また、上述した第１実施形態では、ロック操作部１８０は、ロックピン１７０の伸縮をリンク機構によって制御しているが、これに限定されるものではなく、例えば、ロックピン１７０の伸縮を電磁制御機構によって制御してもよい。
【００８９】
具体的には、ロックピン１７０の底部には、ばね部材（図示しない）及び電磁部材（図示しない）が設けられる。ばね部材は、電磁部材の上方に固定され、ロックピン１７０は、ばね部材の上方に固定される。ロックピン１７０がばね部材の付勢力によって背板１１０の表面から伸出し、ロックピン１７０は、金属材から構成され、ロック操作部１８０は、電磁部材の回路の開閉を制御する。また、外付けレンズユニット１００には、電磁部材に電力を供給するための電源を内蔵させてもよい。
【００９０】
ロック操作部１８０が押圧されると、電磁部材内の回路が閉じられることで、磁場が電磁部材によって発生され、ロックピン１７０が磁場の吸着によって収縮される。ロック操作部１８０への押圧が解除されると、電磁部材内の回路が遮断されることで、磁場が消失し、ロックピン１７０がばね部材によって伸出するように付勢される。
【００９１】
また、第１実施形態では、ロックピン１７０及びロック孔２７０は、それぞれ外付けレンズユニット１００の背板１１０の背面及びスマートフォン２００のスマートフォン本体２１０の背面に設けられているが、これに限定されるものではなく、例えば、それぞれスマートフォン２００のスマートフォン本体２１０の背面及び外付けレンズユニット１００の背板１１０の背面に設けられてもよい。すなわち、ロックピン１７０及びロック孔２７０の設置位置を交換するようになっている。この場合、ロックピン１７０の伸縮を操作するロック操作部１８０をスマートフォン２００側に設ける必要がある。また、ロック操作部１８０は、タッチパネル２９０から構成されてもよい。
【００９２】
以上、本実施形態について説明したが、上述した実施形態は、本発明の適用例の一部を示したに過ぎず、本発明の技術的範囲を上述した実施形態の具体的構成に限定する趣旨ではない。
（第２実施形態）
【００９３】
次に、図７から図１０を参照しながら本発明の第２実施形態に係る撮像装置１について説明する。また、本実施形態では、上述した第１実施形態と同様の点について説明を省略し、主に上述した第１実施形態と相違する点について説明する。
【００９４】
図７及び図９は、本発明の第２実施形態に係る撮像装置１を示す分解斜視図である。図１０は、本発明の第２実施形態に係る撮像装置１を示す斜視図である。
【００９５】
上述した第１実施形態では、摺動溝１３０は、背板１１０の背面の一対の長縁辺に設けられているが、これに限定されるものではなく、例えば、図７から図９に示すように、背板１１０の背面の一対の短縁辺に設けられてもよい。
【００９６】
本実施形態では、一対の摺動溝１３０は、スマートフォン２００のスマートフォン本体２１０における一対のスライダとしての一対の短外縁（一対の外縁）２４０Ａ（図７及び図８参照）と係合する。ここでは、一対の短外縁２４０Ａは、第１実施形態の一対の耳片２４０を代替する。また、一対の短外縁２４０Ａには、操作ボタン等が設けられていない。これにより、一対の短外縁２４０Ａが一対の摺動溝１３０を摺動する際に、操作ボタンと摺動溝１３０との接触による誤操作が発生しない。
【００９７】
また、本実施形態では、一対の摺動溝１３０は、背板１１０の幅方向に沿って背板１１０の背面の一対の短縁辺に亘って延在するように設けられる。一対の摺動溝１３０の一端側（図７の上側）からスマートフォン２００が挿入される。これにより、スマートフォン２００は、一対の摺動溝１３０と一対の短外縁２４０Ａとの係合によって、上側から下側に向かって摺動して背板１１０の背面に収容される。
【００９８】
また、一対の摺動溝１３０の他端側（図７の下側）には、一対の摺動溝３０の他端と接続される一対の摺動制限部１４０が設けられる。一対の摺動制限部１４０は、背板１１０の長手方向に沿って延在するように設けられる。一対の摺動制限部１４０がスマートフォン本体２１０の一側長外縁２５０Ａ（図７の下側外縁）と当接することによって、スマートフォン２００の摺動を制限することができる。一側長外縁２５０Ａは、第１実施形態の単一の耳片２５０を代替する。
【００９９】
上述したように、一対の短外縁２４０Ａ及び一側長外縁２５０Ａは、それぞれ一対の耳片２４０及び単一の耳片２５０を代替するので、スマートフォン２００のスマートフォン本体２１０の外縁から突出する部材（耳片等）を設ける必要がなくなり、スマートフォン２００の美観性を確保することができる。
【０１００】
スマートフォン本体２１０の一側長外縁２５０Ａに対向する一方の摺動制限部１４０の面（図９の上面）には、第１接続端子１５０が設けられる。第１接続端子１５０に対応する第２接続端子２６０は、スマートフォン本体２１０の一側長外縁２５０Ａに設けられる。
【０１０１】
また、上述した第１実施形態では、ロック操作部１８０は、背板１１０の一縁辺に設けられているが、これに限定されるものではなく、例えば、図８から図１０に示すように、背板１１０の背面に設けられてもよい。
【符号の説明】
【０１０２】
１        撮像装置
１００    外付けレンズユニット
１１０    背板
１２０    レンズ部
１３０    摺動溝
１４０    摺動制限部
１５０    第１接続端子
１６０    第１水平当接面
１７０    ロックピン
１８０    ロック操作部
２００    スマートフォン
２１０    スマートフォン本体
２２０    開口部
２３０    撮像素子
２４０    耳片
２５０    耳片
２６０    第２接続端子
２７０    第２水平当接面
２８０    表示部
２９０    タッチパネル
【図１】
0006910492.tif 000002
【図２】
0006910492.tif 000003
【図３】
0006910492.tif 000004
【図４Ａ】
0006910492.tif 000005
【図４Ｂ】
0006910492.tif 000006
【図５Ａ】
0006910492.tif 000007
【図５Ｂ】
0006910492.tif 000008
【図６】
0006910492.tif 000009
【図７】
0006910492.tif 000010
【図８】
0006910492.tif 000011
【図９】
0006910492.tif 000012
【図１０】
0006910492.tif 000013